【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
表示パネルを駆動するための信号を供給する信号供給配線を実装する配線実装基板が接続されている表示パネルにおいて、
前記配線実装基板が、前記表示パネル側に伸びる第１配線および第２配線と、当該第１および第２配線にそれぞれ接続される第１端子および第２端子とを有し、
前記表示パネルが、当該表示パネルと前記配線実装基板との接続部分で前記第１および第２配線にそれぞれ接続されて当該第１および第２配線を短絡する第１短絡配線を有していることを特徴とする表示パネル。
【請求項２】
前記第１および第２配線が前記配線実装基板の少なくとも一方の側端部に設けられていることを特徴とする請求項１に記載の表示パネル。
【請求項３】
前記配線実装基板と前記表示パネルとの間の信号を伝達する配線を実装する中間基板を介在させることにより、前記配線実装基板と接続されており、
前記中間基板が、前記第１および第２配線と前記第１短絡配線とをそれぞれ接続する第３および第４配線を有していることを特徴とする請求項１に記載の表示パネル。
【請求項４】
前記配線実装基板が、前記中間基板側に伸びる第５配線および第６配線と、当該第５および第６配線にそれぞれ接続される第３端子および第４端子とを有し、
前記中間基板が、当該中間基板と前記配線実装基板との接続部分で前記第５および第６配線にそれぞれ接続されて当該第５および第６配線を短絡する第２短絡配線を有していることを特徴とする請求項３に記載の表示パネル。
【請求項５】
複数の前記中間基板を介して前記配線実装基板と接続されていることを特徴とする請求項３に記載の表示パネル。
【請求項６】
各中間基板が、その両側端部に前記第５および第６配線の対を有していることを特徴とする請求項４または５に記載の表示パネル。
【請求項７】
前記配線実装基板がプリント配線基板であり、
前記中間基板が、フィルム上に表示パネルを駆動する集積回路が実装されている実装基板であることを特徴とする請求項３ないし６のいずれか１項に記載の表示パネル。
【請求項８】
請求項１ないし７のいずれか１項に記載の表示パネルを備えることを特徴とする液晶表示装置。
【請求項９】
表示パネルを駆動するための駆動信号を出力する半導体集積回路と当該半導体集積回路に接続される配線とを実装し、前記半導体集積回路に前記駆動信号の出力のために用いる信号を供給する信号供給配線を実装する配線実装基板と前記表示パネルとの間に接続される駆動回路実装基板において、
前記配線実装基板に設けられた第１配線および第２配線と、当該第１および第２配線を短絡するために前記表示パネルに設けられた第１短絡配線とをそれぞれ接続する第３および第４配線を有していることを特徴とする駆動回路実装基板。
【請求項１０】
前記配線実装基板が有する第５および第６配線にそれぞれ接続されて当該第５および第６配線を短絡する第２短絡配線を有していることを特徴とする請求項９に記載の駆動回路実装基板。
【手続補正２】
【補正対象書類名】明細書
【補正対象項目名】０００３
【補正方法】変更
【補正の内容】
【０００３】
表示パネルへの信号伝達の信頼性を確保するため、上記のＣＯＦやＦＰＣが表示パネルと確実に接続されている必要がある。このような接続の確実性を向上させるため、例えば、ＦＰＣを構造的に補強する技術が特許文献１に開示されている。このＦＰＣは、電気的接続に関与しない補強部材が配置されることにより、ストレスがかかる外側両端部が補強されている。
【手続補正３】
【補正対象書類名】明細書
【補正対象項目名】００４０
【補正方法】変更
【補正の内容】
【００４０】
また、本実施の形態では、図１に一点鎖線にて示すように、ＦＰＣ２において、さらにダミー配線３１，３２が追加されていてもよい。ダミー配線３１は、テスト配線部８とＦＰＣ２の一方の側端縁との間に配置されている。また、ダミー配線３２は、テスト配線部９とＦＰＣ２の他方の側端縁との間に配置されている。
【手続補正４】
【補正対象書類名】明細書
【補正対象項目名】００４３
【補正方法】変更
【補正の内容】
【００４３】
図３は、本実施の形態に係る表示パネル１１にＣＯＦ１２を介してＰＷＢ（Printed Wiring Board）１６が接続されている状態を示している。また、図４（ａ）および（ｂ）は、それぞれ接続されていない状態の表示パネル１１とＰＷＢ１６とを示している。
【手続補正５】
【補正対象書類名】明細書
【補正対象項目名】００５２
【補正方法】変更
【補正の内容】
【００５２】
また、図４（ｂ）にも示すように、ＰＷＢ１６は、テスト配線部１８，１９、端子ＴＡ１，ＴＡ２，ＴＢ１，ＴＢ２および中間端子ＴＸ１，ＴＸ２，ＴＹ１，ＴＹ２を有している。テスト配線部１８は、複数の配線１８ａ，１８ｂと、入力側配線１８ｃと、出力側配線１８ｄと、共通配線１８ｅとからなる。テスト配線部１９は、複数の配線１９ａ，１９ｂと、入力側配線１９ｃと、出力側配線１９ｄと、共通配線１９ｅとからなる。
【手続補正６】
【補正対象書類名】明細書
【補正対象項目名】００５６
【補正方法】変更
【補正の内容】
【００５６】
ＰＷＢ１６は、その接続端部をＣＯＦ１２における接続端部上に重ねた状態で、接続部２０において、ＡＣＦによってＣＯＦ１２と接続されている。これにより、ＣＯＦ１２における前述の入力配線と、配線パターンとが電気的に接続された状態となる。
【手続補正７】
【補正対象書類名】明細書
【補正対象項目名】００６０
【補正方法】変更
【補正の内容】
【００６０】
例えば、端子ＴＡ２，ＴＢ２に現れる信号が入力信号とほぼ同じ波形であれば、テスト配線部１４，１８，１９は正常に信号を伝送している。したがって、表示パネル１１とＣＯＦ１２との接続およびＣＯＦ１２とＰＷＢ１６との接続は正常であり、かつＣＯＦ１２およびＰＷＢ１６の少なくともテスト配線部１４，１８，１９が形成された部分には破損が生じていないと考えられる。
【手続補正８】
【補正対象書類名】明細書
【補正対象項目名】００６１
【補正方法】変更
【補正の内容】
【００６１】
端子ＴＡ２のみに信号が現れない場合は、テスト配線部１４，１８そのものが断絶しているか、テスト配線部１８とテスト配線部１４との接続状態または／およびテスト配線部１４と短絡配線２１との接続状態が悪化している可能性が高い。したがって、この場合は、ＣＯＦ１２のエッジ部（テスト配線部１４の配置側端部）の破損か、ＣＯＦ１２とＰＷＢ１６との接続不良または／および表示パネル１１とＣＯＦ１２との接続不良が疑われる。
【手続補正９】
【補正対象書類名】明細書
【補正対象項目名】００６２
【補正方法】変更
【補正の内容】
【００６２】
また、端子ＴＢ２にのみ信号が現れない場合は、テスト配線部１９が断絶しているか、テスト配線部１９と短絡配線１５との接続状態が悪化している可能性が高い。したがって、この場合は、ＣＯＦ１２のエッジ部（短絡配線１５の配置側端部）の破損か、ＣＯＦ１２とＰＷＢ１６との接続不良が疑われる。
【手続補正１０】
【補正対象書類名】明細書
【補正対象項目名】００６６
【補正方法】変更
【補正の内容】
【００６６】
このように、本実施の形態では、表示パネル１１に短絡配線２１を設ける一方、ＣＯＦ１２にテスト配線部１４および短絡配線１５を設け、テスト配線部１８と短絡配線２１とを接続し、テスト配線部１９と短絡配線１５とを接続している。また、テスト配線部１８の端部に端子ＴＡ１，ＴＡ２を接続する一方、テスト配線部１９の端部に端子ＴＢ１，ＴＢ２を接続している。これにより、端子ＴＡ１，ＴＢ１への入力信号に対する端子ＴＡ２，ＴＢ２への出力信号の状態を確認することで、ＣＯＦ１２の破損状態や表示パネル１１とＣＯＦ１２との接続状態やＣＯＦ１２とＰＷＢ１６との接続状態を、表示パネル１１を搭載する表示装置の使用状態で容易に予測することができる。また、端子ＴＡ１，ＴＡ２間の抵抗値および端子ＴＢ１，ＴＢ２間の抵抗値を正常時の抵抗値と比較することによっても、同様に予測することができる。
【手続補正１１】
【補正対象書類名】明細書
【補正対象項目名】００７１
【補正方法】変更
【補正の内容】
【００７１】
ＰＷＢ２５は、さらにテスト配線部２８を有している以外はＰＷＢ１６と同じ構成である。このテスト配線部２８は、配線２８ａ，２８ｂおよび配線群２８ｃ，２８ｄ，２８ｅからなり、テスト配線部１８がテスト配線部１４に接続される関係と同様の関係をなすように、上記のテスト配線部２６と接続されている。また、テスト配線２６は、前述の端子ＴＸ１，ＴＸ２と同等の機能を有する端子ＴＺ１，ＴＺ２を各ＣＯＦ２４について有している。
【手続補正１２】
【補正対象書類名】明細書
【補正対象項目名】００７２
【補正方法】変更
【補正の内容】
【００７２】
上記の構成では、テスト配線２６，２８および短絡配線２７によって形成される配線経路を用いることによって、前述のテスト配線部１４，１８および短絡配線２１によって形成される配線経路を用いた信号による電気的試験や抵抗値測定試験を行うことができる。それゆえ、ストレスのかかりやすいＣＯＦ２４の両側端についての破損や、表示パネル２３とＣＯＦ２４との接続状態または／およびＣＯＦ２４とＰＷＢ２５との接続状態を、本変形例の構成を搭載する表示装置の使用時において予測することができる。
【手続補正１３】
【補正対象書類名】明細書
【補正対象項目名】００８１
【補正方法】変更
【補正の内容】
【００８１】
画素ＰＩＸは、ゲートバスラインＧとソースラインＳとが交差する付近に配置されている。この画素ＰＩＸは、液晶表示パネル１０２のガラス基板上に、薄膜トランジスタ（以降、単にトランジスタと称する）と、表示素子とを有している。
【手続補正１４】
【補正対象書類名】明細書
【補正対象項目名】００９３
【補正方法】変更
【補正の内容】
【００９３】
１，１１，２３    表示パネル
２                ＦＰＣ（配線実装基板）
３，１３          ドライバチップ（半導体集積回路）
４，７            配線パターン（信号供給配線）
５，６，２１      短絡配線（第１短絡配線）
７                配線パターン
８，９            テスト配線部
８ａ，９ａ        配線（第１配線）
８ｂ，９ｂ        配線（第２配線）
１２，２４          ＣＯＦ（中間基板，駆動回路実装基板）
１６，２５          ＰＷＢ（配線実装基板）
１４                テスト配線部
１４ａ              配線（第３配線）
１４ｂ              配線（第４配線）
１８，２８          テスト配線部
１８ａ，２８ａ      配線（第１配線）
１８ｂ，２８ｂ      配線（第２配線）
１９                テスト配線部
１９ａ              配線（第５配線）
１９ｂ              配線（第６配線）
１０２                液晶表示パネル（表示パネル）
Ｔ１，Ｔ３            端子（第１端子）
Ｔ２，Ｔ４            端子（第２端子）
ＴＸ１，ＴＺ１        端子（第１端子）
ＴＸ２，ＴＺ２        端子（第２端子）
ＴＹ１                端子（第３端子）
ＴＹ２                端子（第４端子）
【手続補正１５】
【補正対象書類名】図面
【補正対象項目名】図４
【補正方法】変更
【補正の内容】
【図４】
2008241748.tif 000001
【手続補正１６】
【補正対象書類名】図面
【補正対象項目名】図５
【補正方法】変更
【補正の内容】
【図５】
2008241748.tif 000002